(57)【要約】【課題】従来の衣料品包装台紙では、衣料品を大量にかつスタイリッシュに陳列することができないという課題があった。また、従来の衣料品個装体では、販売されることしか考えられておらず、衣料品に関連する情報を入手できないという課題があった。【解決手段】キャラクター、マーク、模様または色彩等が描かれた衣料品を折り畳んで個装する際に、衣料品に挟み込まれる略矩形状の衣料品用包装台紙であって、衣料品を折り畳んだ時に、キャラクター、マーク、模様または色彩等が描かれた部分を一方面の中央部に配置できる。【選択図】図１
2019069792.tif 000002
【特許請求の範囲】
【請求項１】
キャラクター、マーク、模様または色彩等が描かれた衣料品を折り畳んで個装する際に、当該衣料品に挟み込まれる略矩形状の衣料品用包装台紙であって、
前記衣料品を折り畳んだ時に、前記キャラクター、マーク、模様または色彩等が描かれた部分を一方面の中央部に配置できることを特徴とする衣料品用包装台紙。
【請求項２】
少なくとも前記一方面の色が略白色であることを特徴とする請求項１に記載の衣料品用包装台紙。
【請求項３】
請求項１または２に記載の衣料品用包装台紙を挟んで折り畳まれた衣料品をシュリンク包装体で包装したことを特徴とする衣料品個装体。
【請求項４】
請求項３に記載の衣料品個装体内に、前記衣料品に関連するＷｅｂサイト情報が含まれていることを特徴とする衣料品個装体。
【請求項５】
請求項４に記載の衣料品個装体に含まれた前記Ｗｅｂサイト情報を入力できる端末と、
Ｗｅｂサイト情報に基づいてアクセスできる前記Ｗｅｂサーバとがネットワークを介して接続された情報配信システムであって、
前記Ｗｅｂサイト情報に基づいて、前記端末から前記Ｗｅｂサーバにアクセスできることを特徴とする情報配信システム。
【請求項６】
前記Ｗｅｂサイト情報は、前記衣料品を所有する所有者であることを識別できる識別情報を含み、
前記Ｗｅｂサーバは、記録手段をさらに有し、
前記Ｗｅｂサーバにアクセスする際に前記識別情報の入力が必要とされ、かつ前記Ｗｅｂサーバ上で行った前記所有者の行為を前記記録手段に記録できることを特徴とする請求項５に記載の情報配信システム。
【請求項７】
前記Ｗｅｂサーバは、前記衣料品に関連する関連データを有し、
前記Ｗｅｂサーバから前記端末に、前記関連データをダウンロードできることを特徴とする請求項５または６に記載の情報配信システム。
【請求項８】
前記衣料品がＴシャツであり、
前記関連データが、前記衣料品に関係するアーティストの画像データ、動画データ、音楽データおよびコンサート情報ならびに前記アーティストがデザインしたグッズに関する情報の少なくとも１つであることを特徴とする請求項５〜７の何れかに記載の情報配信システム。
【発明の詳細な説明】
【技術分野】
【０００１】
本発明は、衣料品を折り畳んで個装した際に、その模様や色彩等が魅力的に見え、かつ大量に並べることができる衣料品用包装台紙およびそれを用いた衣料品個装体ならびに情報配信システムに関する。
【背景技術】
【０００２】
従来から、衣料品を個装して販売する場合、板紙等を切り抜いた台紙を挟み込むことによって、衣料品のシワや型くずれなどを防止していた。そして、台紙を挟み込んだ衣料品は、塵や埃による汚染を防止するために、通常は透明の包装袋に収納した状態で搬送・保管され、あるいは陳列台や陳列ケースに載置され、展示・販売されている。
【０００３】
このような台紙としては、被服を個装するときの形状に合わせて切り抜いたものが一般的であるが、例えば、台紙本体の周縁から切込みを入れ、その切込みの一方の側方側に差込片を設けると共に、その切込みの他方の側方側に差込部を設け、差込片を差込部に差し込むことによって立体的な形状となる台紙が提案されている（特許文献１参照）。
【先行技術文献】
【特許文献】
【０００４】
【特許文献１】特開２００２−２８４２６９号公報
【発明の概要】
【発明が解決しようとする課題】
【０００５】
しかしながら、従来の台紙は、衣料品のシワや型くずれなどを防止することを目的としている。そのため、従来の台紙を用いて個装すると、衣料品の模様や色彩等が施された部分が折り畳まれてしまい、衣料品のデザインを把握し難いという問題点があった。
【０００６】
また、従来の台紙を用いて個装すると、上述したように衣料品のデザインを把握し難いことから、衣料品をデザインが一目で把握できるように大量に陳列することができないという問題点があった。
【０００７】
さらに、従来の衣料品を個装した衣料品個装体では、陳列・販売されることしか想定されておらず、その衣料品に関連する情報を入手できないという問題点があった。具体的には、たとえば衣料品が、デザイン化されたアーティスト名が印刷されたＴシャツ等の場合には、そのＴシャツとそのアーティストに関連する情報（コンサートの場所・期日等）とは全く関連がない状態となっており、Ｔシャツの購入者が別途インターネット上の検索サイト等を利用しなければ、それらの情報を入手することができないという問題点があった。
【課題を解決するための手段】
【０００８】
本発明の発明者は、上述した問題点に関して鋭意研究・開発を続けた結果、以下のような画期的な衣料品用包装台紙、衣料品個装体および情報配信システムを見出した。
【０００９】
本発明に係る第１の態様は、キャラクター、マーク、模様または色彩等が描かれた衣料品を折り畳んで個装する際に、衣料品に挟み込まれる略矩形状の衣料品用包装台紙であって、衣料品を折り畳んだ時に、キャラクター、マーク、模様または色彩等が描かれた部分を一方面の中央部に配置できることを特徴とする衣料品用包装台紙にある。
【００１０】
ここで、「略矩形」とは、矩形を含み、ほぼ矩形と認識されるひし形や台形等を含むものをいう。
【００１１】
かかる第１の態様では、衣料品の一方面の外観がスタイリッシュなデザインとなり、かつ小さく折り畳むことができるので、衣料品を大量にかつスタイリッシュに陳列棚等に陳列することができる。また、キャラクター、マーク、模様または色彩等が描かれた部分を一方面の中央部に配置した状態で同一形状に折りたたむことができるので、衣料品をデザインが一目で把握できるように、大量に陳列することができる。
【００１２】
本発明に係る第２の態様は、少なくとも一方面の色が略白色であることを特徴とする第１の態様に記載の衣料品用包装台紙にある。
【００１３】
ここで、「略白色」とは、白色を含み、一般的な人物からみて白色と認識される色を含むものをいう。
【００１４】
かかる第２の態様では、衣料品を通して衣料品用包装台紙の色が透けることはなく、衣料品に描かれたキャラクター、マーク、模様または色彩等をより鮮やかに、かつ綺麗に見せることができる。
【００１５】
本発明の第３の態様は、第１または第２の態様に記載の衣料品用包装台紙を挟んで折り畳まれた衣料品をシュリンク包装体で包装したことを特徴とする衣料品個装体にある。
【００１６】
かかる第３の態様では、衣料品が引き締まったように見えるので、衣料品の一方面の外観をよりスタイリッシュなデザインに見せることができると共に、塵や埃が衣料品に付着するのを防止することができる。
【００１７】
本発明の第４の態様は、第３の態様に記載の衣料品個装体内に、衣料品に関連するＷｅｂサイト情報が含まれていることを特徴とする衣料品個装体にある。
【００１８】
ここで、「Ｗｅｂサイト情報が含まれている」とは、ＱＲコード（登録商標）等のＷｅｂサイト情報を印刷した紙片やステッカー等が衣料品個装体内に添付されていることや、Ｗｅｂサイト情報が衣料品用包装台紙自体に印刷されていること等を含む概念をいう。
【００１９】
かかる第４の態様では、衣料品個装体の所有者のみが、Ｗｅｂサイト情報を入手することができる。
【００２０】
本発明の第５の態様は、第４の態様に記載の衣料品個装体に含まれたＷｅｂサイト情報を入力できる端末と、Ｗｅｂサイト情報に基づいてアクセスできるＷｅｂサーバとがネットワークを介して接続された情報配信システムであって、Ｗｅｂサイト情報に基づいて、端末からＷｅｂサーバにアクセスできることを特徴とする情報配信システムにある。
【００２１】
かかる第５の態様では、衣料品個装体の所有者のみが、Ｗｅｂサーバにアクセスすることができる。
【００２２】
本発明の第６の態様は、Ｗｅｂサイト情報は、衣料品を所有する所有者であることを識別できる識別情報を含み、Ｗｅｂサーバは、記録手段をさらに有し、Ｗｅｂサーバにアクセスする際に識別情報の入力が必要とされ、かつＷｅｂサーバ上で行った所有者の行為を記録手段に記録できることを特徴とする第５の態様に記載の情報配信システムにある。
【００２３】
ここで、「所有者の行為」とは、Ｗｅｂページの閲覧、後述する関連データのダウンロード、コンサートのチケット購入または後述するグッズの購入等の行為をいう。
【００２４】
かかる第６の態様では、衣料品個装体の所有者ごとに、Ｗｅｂサーバへのアクセス状況や、Ｗｅｂサーバ上で行った所有者の行為を記録することができる。
【００２５】
本発明の第７の態様は、Ｗｅｂサーバは、衣料品に関連する関連データを有し、Ｗｅｂサーバから端末に、関連データをダウンロードできることを特徴とする第５または第６の態様に記載の情報配信システムにある。
【００２６】
ここで、「ダウンロード」とは、ダウンロードだけでなく、ストリーミングをも含む概念である。
【００２７】
かかる第７の態様では、衣料品個装体の所有者のみが、関連データを入手することができる。
【００２８】
本発明の第８の態様は、衣料品がＴシャツであり、関連データが衣料品に関係するアーティストの画像データ、動画データ、音楽データおよびコンサート情報ならびに前記アーティストがデザインしたグッズに関する情報の少なくとも１つであることを特徴とする第５〜第７の態様の何れかに記載の情報配信システムにある。
【００２９】
かかる第８の態様では、衣料品個装体の所有者のみが、衣料品に関係するアーティストの画像データ、動画データまたは音楽データ等を入手することができる。
【図面の簡単な説明】
【００３０】
【図１】図１は実施形態１に係る情報配信システムの概略図である。
【図２】図２は実施形態１に係る衣料品個装体を構成する物品の概略図である。
【図３】図３は実施形態１に係る衣料品個装体の作製方法を示す概略図である。
【発明を実施するための形態】
【００３１】
以下に添付図面を参照して、本発明に係る衣料品用包装台紙、衣料品個装体および情報配信システムの実施形態を説明する。なお、本発明は、以下の実施形態に限定されるものではない。
（実施形態２）
【００３２】
図１は、本実施形態に係る情報配信システムの概略図である。図１に示すように、衣料品が個装された衣料品個装体１０と、端末２０と、端末２０とネットワーク５０を介して接続されたＷｅｂサーバ３０とで構成されている。
【００３３】
衣料品個装体１０は、図２に示すように、衣料品２と、衣料品用包装台紙５と、これらを包むシュリンク包装材（図示しない）で構成されている。そして、本実施形態の衣料品個装体１０には、Ｗｅｂサイト情報（図示しない）が含まれている。
【００３４】
ここで、Ｗｅｂサイト情報とは、Ｗｅｂサーバ３０にアクセスするための情報であれば特に限定されず、例えばＷｅｂサーバ３０のＵＲＬ（ｕｎｉｆｏｒｍ  ｒｅｓｏｕｒｃｅ  ｌｏｃａｔｏｒ）やその情報を含んだバーコードおよびＱＲコード（登録商標）のようなマトリクス型二次元コード等が挙げられる。このＷｅｂサイト情報は、紙片等に印刷されて衣料品個装体１０内に添付されてもよいし、衣料品用包装台紙５自体に印刷されてもよい。
【００３５】
このように衣料品個装体１０内にＷｅｂサイト情報が含まれることによって、衣料品個装体１０を所有する者にしかＷｅｂサイト情報を入手できず、かつＷｅｂサーバ３０にアクセスすることができないようになっている。
【００３６】
衣料品２は、衣類等であれば特に限定されないが、本実施形態では、例示として、胸部に「ＡＢＣ」という文字が描かれたＴシャツを用いる。
【００３７】
衣料品用包装台紙５は、衣料品２を折り畳んだ時に、その衣料品２に描かれたキャラクター、マーク、模様または色彩等が一方面の中央部に配置できる矩形板状のものであれば特に限定されない。その材質も、シュリンク包装材でシュリンク包装した際に、折れ曲がったり、角部の形状が崩れたり、衣料品を傷つけないものであれば特に限定されず、例えば段ボールやプラスチックでもよい。材質が段ボールの場合には、一層構造で、厚さが１ｍｍ〜５ｍｍのものが好ましく、厚さが２ｍｍ〜４ｍｍのものがより好ましく、厚さが２．５ｍｍ〜３．５ｍｍのものが特に好ましい。また、段ボールに使われる表・裏ライナの硬さは、Ｃ５以上の硬いものであれば特に限定されないが、Ｋ５のものが好ましい。Ｋ５が使われた段ボールの場合には、衣料品が伸びたり、損傷したり等の影響を与えない。
【００３８】
ここで、衣料品用包装台紙５の形状は、矩形状であれば特に限定されないが、衣料品個装体１０を陳列する際に、衣料品２に描かれたキャラクター、マーク、模様または色彩等を綺麗に見せることができ、かつ大量に陳列できるように、略正方形状が好ましく、正方形状が特に好ましい。特に、大人用の衣料品の場合には、一辺の長さが３０〜４０ｃｍの略正方形状が好ましく、一辺の長さが３２〜３５ｃｍの略正方形状がより好ましい。また、子供用の衣料品の場合には、一辺の長さが１５〜２０ｃｍの略正方形状が好ましく、一辺の長さが１６〜１８ｃｍの略正方形状がより好ましい。
【００３９】
なお、後述するように、衣料品用包装台紙５を衣料品２に挟み込み、さらにシュリンク包装することによって、衣料品個装体１０の一方面の外観がＬＰレコードや７ｉｎｃｈレコードのジャケットのようなスタイリッシュなデザインとなり、かつ小さく折り畳むことができるので、衣料品個装体１０を大量にかつスタイリッシュに陳列棚等に陳列することができる。
【００４０】
また、衣料品用包装台紙５の色は特に限定されないが、略白色が好ましく、白色がより好ましい。略白色または白色の衣料品用包装台紙５を用いることにより、衣料品２を通して衣料品用包装台紙５の色が透けることがなく、衣料品２に描かれたキャラクター、マーク、模様または色彩等をより鮮やかに、かつより綺麗に見せることができる。
【００４１】
ネットワーク５０は、端末２０とＷｅｂサーバ３０とを接続することができるものであれば特に限定されず、たとえばインターネットやイントラネット等が挙げられる。なお、端末２０およびＷｅｂサーバ３０は、少なくとも１つ以上あればよく、複数存在していてもよい。
【００４２】
次に、衣料品個装体１０の作製方法について説明する。図３は、衣料品個装体１０の作製方法を示す概略図である。図３（１）に示すように、衣料品用包装台紙５の略中央部上に、文字「ＡＢＣ」が位置するように、Ｔシャツを衣料品用包装台紙５に重ねる。そして、衣料品用包装台紙５の横幅に合わせて、衣料品用包装台紙５を包むようにＴシャツの両部を折り曲げる。
【００４３】
このように、Ｔシャツで衣料品用包装台紙５を包むことにより、衣料品用包装台紙５の角部の形状が崩れづらくなると共に、後述するシュリンク包装材が破けにくくなる。
【００４４】
そして、図３（２）に示すように、衣料品用包装台紙５の縦幅に合わせて、衣料品用包装台紙５を包むようにＴシャツの上部と下部を折り曲げる。ここで、Ｔシャツの襟の一部が衣料品個装体１０の一方面に残るように、Ｔシャツの上部を折り曲げるようにするのが好ましい。衣料品個装体１０の襟部の一部が一方面に残るので、衣料品２がＴシャツであることを容易に把握することができる。
【００４５】
その後、図３（３）に示すように、衣料品用包装台紙５を包むようにＴシャツを折り曲げた状態で、シュリンク包装材（図示しない）でシュリンク包装することで衣料品個装体１０を作製することができる。
【００４６】
シュリンク包装材は、衣料品用包装台紙５を包んだＴシャツをシュリンク包装することができるものであれば特に限定されず、例えばポリ塩化ビニル、ポリプロピレン、ポリエチレン、ポリスチレン、ポリオレフィンやポリエチレンテレフタレート等を用いて製造されたフィルム等が挙げられる。
【００４７】
次に、端末２０について説明する。端末２０は、Ｗｅｂサイト情報に基づいて、Ｗｅｂサーバ３０にアクセスすることができるものであれば特に限定されない。端末２０としては、例えば、スマートフォン、タブレット型コンピュータ、パーソナルコンピュータ等が挙げられる。
【００４８】
さらに、Ｗｅｂサーバ３０について説明する。Ｗｅｂサーバ３０は、図１に示すように、衣料品２に関連する関連データ３２を格納したデータベース３１を有しており、端末２０に入力された指示に基づき、データベース３１から特定の関連データを抽出して端末２０に送信することができるようになっている。Ｗｅｂサーバ３０およびデータベース３１は、上記のような機能を有するものであれば特に限定されず、例えば市販されているリレーショナルデータベースソフトウェア等をインストールしたパーソナルコンピュータ等が挙げられる。
【００４９】
ここで、関連データ３２は、衣料品２に関連するデータであれば特に限定されない。関連データ３２としては、例えば衣料品が演奏家や音楽家等のアーティストがデザインしたものである場合には、その者が作曲・演奏した曲の音楽データ、演奏時を録画した画像（動画）データ、演奏時の写真データ、コンサート情報（開催日、場所、チケットの価格等）またはそのアーティストがデザインしたグッズに関する情報等が挙げられる。
【００５０】
続いて、情報配信システム１の動作について説明する。まず、衣料品個装体１０の所有者が、シュリンク包装材を破り、Ｗｅｂサイト情報を入手する。次に、所有者が、端末２０にＷｅｂサイト情報を入力し、Ｗｅｂサーバ３０にアクセスする。そして、所有者が、Ｗｅｂサーバ３０から関連データ３２をダウンロードする。
【００５１】
以上説明したように、本実施形態に係る情報配信システム１によれば、衣料品個装体１０の所有者のみが、Ｗｅｂサーバ３０にアクセスすることができ、かつ関連データ３２をダウンロードして入手することができる。その結果、所有者とアーティストとの関係を強化することができる。
（実施例１）
【００５２】
衣料品用包装台紙の材質として段ボールを選択した際の段ボールとその段ボールでＴシャツを折り畳んだ衣料品個装体の外観との関係について調べた。Ｔシャツとしては、市販されているものを用いた。その実験結果を表１に示す。
【００５３】
【表１】
2019069792.tif 000003
【００５４】
表１に示すように、一層構造で厚さが３ｍｍ、表・裏ライナの硬さがＫ５であるＫ５ＢＦが最も美しい外観となることが分かった。また、一層構造で厚さが５ｍｍ、表・裏ライナの硬さがＫ５であるＫ５ＡＦは少し厚みがあるように感じられた。
（実施形態２）
【００５５】
実施形態１では、Ｗｅｂサイト情報として、Ｗｅｂサーバにアクセスするための情報を用いたが、本発明はこれに限定されない。たとえば、Ｗｅｂサイト情報として、さらに識別情報であるＩＤ番号（ｉｄｅｎｔｉｆｉｃａｔｉｏｎ  ｎｕｍｂｅｒ）やパスワードが含まれていてもよい。
【００５６】
そして、Ｗｅｂサーバが、所有者の行為を記録できる記録手段をさらに有していてもよい。記録手段としては、別途リレーショナルデータベースソフトウェア等を用いてもよいし、上述したデータベースを用いてもよい。
【００５７】
Ｗｅｂサイト情報に、これらの識別情報を含めることにより、衣料品個装体の所有者ごとに、Ｗｅｂサーバへのアクセス状況や、関連データのダウンロード状況等の所有者の行為を把握することができる。その結果、例えばこれらの情報を衣料品に関係するマーケティング等に活用することができる。具体的には、衣料品が演奏家や音楽家がデザインしたものである場合には、その者のファンのグッズ等の購買動向等を把握することができる。
【符号の説明】
【００５８】
１    情報配信システム
２    衣料品
５  衣料品用包装台紙
１０  衣料品個装体
２０  端末
３０  Ｗｅｂサーバ
３１  データベース
３２  関連データ
５０  ネットワーク
【図１】
2019069792.tif 000004
【図２】
2019069792.tif 000005
【図３】
2019069792.tif 000006